(57)【要約】【課題】投射の光線が煌かなく、電線が短絡せず、そして照射角度を容易に調整できる発光ダイオード電気スタンドを提供する。【解決手段】立設ロッド１１Ａを有し、立設ロッド１１Ａは、円弧形を呈し、二つの導電片１１１を有し、二つの導電片１１１の間に溝１１２が設けられる台座１０と、収容部２１を有するスライドプレート２０と、スライドプレート２０に固定され、導電スライドブロック４１を有し、導電スライドブロック４１は二つの導電子４２を有し、二つの導電子４２は、導電定位玉４２１と、導電円柱４２２と、バネ４２３と、をそれぞれ有し、導電円柱４２２は押付け溝４２４を有する少なくとも一つの導電台４０と、スライドプレート２０の収容部２１に設けられ、二つの導電子４２と電気的に接続する発光ダイオード光源５０と、を含む。【選択図】図２Ａ
0003180371.tif 000002
【実用新案登録請求の範囲】
【請求項１】
立設ロッド（１１Ａ）を有し、前記立設ロッド（１１Ａ）は、円弧形を呈し、二つの導電片（１１１）を有し、二つの前記導電片（１１１）の間に溝（１１２）が設けられる台座（１０）と、
収容部（２１）を有するスライドプレート（２０）と、
前記スライドプレート（２０）に固定され、導電スライドブロック（４１）を有し、前記導電スライドブロック（４１）は二つの導電子（４２）を有し、二つの前記導電子（４２）は二つの前記導電片（１１１）に対応するように設けられ、二つの前記導電子（４２）は、導電定位玉（４２１）と、導電円柱（４２２）と、バネ（４２３）と、をそれぞれ有し、前記導電円柱（４２２）は押付け溝（４２４）を有し、前記導電定位玉（４２１）は、前記バネ（４２３）を介して前記押付け溝（４２４）に入れられ、前記導電スライドブロック（４１）は前記溝（１１２）に摺動可能に入れられ、二つの前記導電定位玉（４２１）は二つの前記導電片（１１１）に接触する少なくとも一つの導電台（４０）と、
前記スライドプレート（２０）の前記収容部（２１）に設けられ、二つの前記導電子（４２）と電気的に接続する発光ダイオード光源（５０）と、
を含むことを特徴とする発光ダイオード電気スタンド。
【請求項２】
二芯線（７０）により、前記発光ダイオード光源（５０）と二つの前記導電子（４２）とは電気的に接続し、前記スライドプレート（２０）は、前記二芯線（７０）を収容する電線溝（２２）を有し、前記スライドプレート（２０）に貼り付けられるカバー（８０）により、前記電線溝（２２）がカバーされることを特徴とする、請求項１に記載の発光ダイオード電気スタンド。
【請求項３】
前記カバー（８０）は、前記導電スライドブロック（４１）が挿通される開口（８２）を有し、少なくとも一つの前記導電台（４０）は、前記二芯線（７０）が挿通される電線切欠き（４３）を有することを特徴とする、請求項２に記載の発光ダイオード電気スタンド。
【請求項４】
更に、固定片（３０）を含み、前記固定片（３０）は、前記スライドプレート（２０）に固定され、キノコ状を呈するスライド柱（３１）を有し、前記スライド柱（３１）は前記溝（１１２）に摺動可能に入れられ、前記カバー（８０）は、前記スライド柱（３１）が挿通される開口（８１）を有することを特徴とする、請求項２に記載の発光ダイオード電気スタンド。
【請求項５】
前記台座（１０）には、直流電源コンセント（１３）が設けられ、前記直流電源コンセント（１３）は二つの前記導電片（１１１）と電気的に接続することを特徴とする、請求項１に記載の発光ダイオード電気スタンド。
【請求項６】
少なくとも一つの前記導電台（４０）は締結穴（４０１）を有し、前記固定片（３０）は締結穴（３０１）を有し、二つの螺子（６０）は、前記締結穴（３０１、４０１）をそれぞれ挿通して、前記スライドプレート（２０）に締結されることを特徴とする、請求項１に記載の発光ダイオード電気スタンド。
【請求項７】
前記スライドプレート（２０）は、前記収容部（２１）をカバーする放熱片（９９）を有し、前記放熱片（９９）は、前記スライドプレート（２０）に貼り付けられており、複数の放熱穴（９９１）を有し、複数の前記放熱穴（９９１）は前記発光ダイオード光源（５０）に貼り付けられていることを特徴とする、請求項１に記載の発光ダイオード電気スタンド。
【請求項８】
前記立設ロッドを更に延ばし、円形状立設ロッド（１１Ｂ）が形成されることを特徴とする、請求項１に記載の発光ダイオード電気スタンド。
【考案の詳細な説明】
【技術分野】
【０００１】
本考案は、電気スタンドに関し、特に、照射角度を調整できる発光ダイオード電気スタンドに関するものである。
【背景技術】
【０００２】
電気スタンドは、本を読むなど勉強するための重要な設備である。良い電気スタンドは均一な照度を提供できる。良い電気スタンドを利用すると、学習者は安心して勉強でき、目が疲労しにくい。従来の電気スタンドは蛍光灯を使用する。蛍光灯は、電気の消費が少なく、光度が高いため、国民に広汎に利用されている。しかし、蛍光灯は、電圧の変化に敏感であるため、電圧が不安定である場合に煌きやすく、これにより、ユーザの目が疲労しやすい。
【０００３】
また、電気スタンドの照明範囲は狭く、異なる身長を有するユーザよって必要な照射角度が異なるため、照射角度を調整できる機能は電気スタンドの不可欠な機能の一つである。電気スタンドの照射角度を調整できるようにするために、電気スタンドの照明装置は、レバー機構、又は湾折可能なホースの末端に連接される。
【０００４】
しかし、上記の二つの方式によれば、電気スタンドが長期間利用されると、調整した位置を良く保持できなくなるという現象があり、そしてその構造内にある電線が頻繁に湾折されるため、電線が短絡するという可能性がある。
【考案の概要】
【考案が解決しようとする課題】
【０００５】
本考案の主な目的は、投射の光線が煌かず、電線が短絡せず、そして照射角度を容易に調整できる発光ダイオード電気スタンドを提供することにある。
【課題を解決するための手段】
【０００６】
本考案の発光ダイオード電気スタンドによると、立設ロッド１１Ａを有し、立設ロッド１１Ａは、円弧形を呈し、二つの導電片１１１を有し、二つの導電片１１１の間に溝１１２が設けられる台座１０と、収容部２１を有するスライドプレート２０と、スライドプレート２０に固定され、導電スライドブロック４１を有し、導電スライドブロック４１は二つの導電子４２を有し、二つの導電子４２は二つの導電片１１１に対応するように設けられ、二つの導電子４２は、導電定位玉４２１と、導電円柱４２２と、バネ４２３と、をそれぞれ有し、導電円柱４２２は押付け溝４２４を有し、導電定位玉４２１は、バネ４２３を介して押付け溝４２４に入れられ、導電スライドブロック４１は溝１１２に摺動可能に入れられ、二つの導電定位玉４２１は二つの導電片１１１に接触する少なくとも一つの導電台４０と、スライドプレート２０の収容部２１に設けられ、二つの導電子４２と電気的に接続する発光ダイオード光源５０と、を含むことを特徴とする。
【０００７】
本考案の発光ダイオード電気スタンドによると、二芯線７０により、発光ダイオード光源５０と二つの導電子４２とは電気的に接続し、スライドプレート２０は、二芯線７０を収容する電線溝２２を有し、スライドプレート２０に貼り付けられるカバー８０により、電線溝２２がカバーされることを特徴とする。
【０００８】
本考案の発光ダイオード電気スタンドによると、カバー８０は、導電スライドブロック４１が挿通される開口８２を有し、少なくとも一つの導電台４０は、二芯線７０が挿通される電線切欠き４３を有することを特徴とする。
【０００９】
本考案の発光ダイオード電気スタンドによると、更に、固定片３０を含み、固定片３０は、スライドプレート２０に固定され、キノコ状を呈するスライド柱３１を有し、スライド柱３１は溝１１２に摺動可能に入れられ、カバー８０は、スライド柱３１が挿通される開口８１を有することを特徴とする。
【００１０】
本考案の発光ダイオード電気スタンドによると、台座１０には、直流電源コンセント１３が設けられ、直流電源コンセント１３は二つの導電片１１１と電気的に接続することを特徴とする。
【００１１】
本考案の発光ダイオード電気スタンドによると、少なくとも一つの導電台４０は締結穴４０１を有し、固定片３０は締結穴３０１を有し、二つの螺子６０は、締結穴３０１、４０１をそれぞれ挿通して、スライドプレート２０に締結されることを特徴とする。
【００１２】
本考案の発光ダイオード電気スタンドによると、スライドプレート２０は、収容部２１をカバーする放熱片９９を有し、放熱片９９は、スライドプレート２０に貼り付けられており、複数の放熱穴９９１を有し、複数の放熱穴９９１は発光ダイオード光源５０に貼り付けられていることを特徴とする。
【００１３】
本考案の発光ダイオード電気スタンドによると、立設ロッドを更に延ばし、円形状立設ロッド（１１Ｂ）が形成されることを特徴とする。
【考案の効果】
【００１４】
本考案の発光ダイオード電気スタンドによれば、投射の光線が煌かなく、電線が短絡せず、そして照射角度を容易に調整できるという効果を有する。
【図面の簡単な説明】
【００１５】
【図１】本考案の実施例１を示す斜視図である。
【図２Ａ】本考案の実施例１の構成を示す分解斜視図である。
【図２Ｂ】図２Ａの一部を示す拡大図である。
【図３】本考案の実施例１の構成を示す側面図である。
【図４】本考案の導電台の構成を示す模式図である。
【図５】本考案の実施例１の照明角度を調整する状態を示す模式図である。
【図６】本考案の実施例２を示す模式図である。
【図７】本考案の実施例３を示す模式図である。
【図８】本考案の実施例４を示す模式図である。
【考案を実施するための形態】
【００１６】
以下、本考案の実施の形態を図面に基づいて説明する。
【００１７】
（実施例１）
図１、図２Ａ、図２Ｂ及び図３を参照する。図１は本考案の実施例１を示す斜視図であり、図２Ａは本考案の実施例１の構成を示す分解斜視図であり、図２Ｂは図２Ａの一部を示す拡大図であり、図３は本考案の実施例１の構成を示す側面図である。本実施例の発光ダイオード電気スタンドは、台座１０と、スライドプレート２０と、固定片３０と、少なくとも一つの導電台４０と、発光ダイオード光源５０と、を含む。台座１０は、立設ロッド１１Ａを有する。立設ロッド１１Ａは、円弧形を呈し、二つの導電片１１１を有し、二つの導電片１１１の間に溝１１２が設けられる。スライドプレート２０は収容部２１を有する。図２Ａに示すように、固定片３０は、スライドプレート２０に固定され、キノコ状を呈するスライド柱３１を有する。少なくとも一つの導電台４０は、スライドプレート２０に固定され、導電スライドブロック４１を有する。導電スライドブロック４１は二つの導電子４２を有する。二つの導電子４２は二つの導電片１１１に対応するように設けられる。二つの導電子４２は、導電定位玉４２１と、導電円柱４２２と、バネ４２３と、をそれぞれ有する。導電円柱４２２は押付け溝４２４を有する。導電定位玉４２１は、バネ４２３を介して押付け溝４２４に入れられる。少なくとも一つの導電台４０は締結穴４０１を有し、固定片３０は締結穴３０１を有する。二つの螺子６０は、締結穴３０１、４０１をそれぞれ挿通して、スライドプレート２０に締結される。必要あれば、粘着テープを使用してもよい。そうすると、螺子６０が緩まるといった不具合を防止できる。
【００１８】
図４を参照する。図４は本考案の導電台４０の構成を示す模式図である。導電スライドブロック４１は溝１１２に摺動可能に設置される。二つの導電定位玉４２１は二つの導電片１１１に接触する。発光ダイオード光源５０はスライドプレート２０の収容部２１に設けられ、二つの導電子４２（導電円柱４２２）と電気的に接続する。二芯線７０により、発光ダイオード光源５０と二つの導電子４２とは電気的に接続する。スライドプレート２０は、二芯線７０を収容する電線溝２２を有する。スライドプレート２０に貼り付けられるカバー８０により、電線溝２２がカバーされる。カバー８０は、スライド柱３１が挿通される開口８１と、導電スライドブロック４１が挿通される開口８２と、を有する。少なくとも一つの導電台４０は、二芯線７０が挿通される電線切欠き４３を有する。
【００１９】
また、図１及び図２Ａに示すように、台座１０には、直流電源コンセント１３が設けられる。直流電源コンセント１３は二つの導電片１１１と電気的に接続する。本実施例は、更に、直流電源コンセント１３に挿入される直流電源プラグ９０と、直流電源プラグ９０と電気的に接続する光源調整スイッチ９１と、光源調整スイッチ９１と電気的に接続する電源供給子９２Ａと、を含む。光源調整スイッチ９１により、発光ダイオード光源５０の発光の光度を調整できる。一方、電源供給子９２ＡはＵＳＢケーブル９３であり、光源調整スイッチ９１がＵＳＢケーブル９３に対応するＵＳＢコンセント９１１を有してもよい。本実施例では、更に、ＵＳＢケーブル９３と電気的に接続する電源変換器９５Ａを含む。電源変換器９５Ａは、ＵＳＢケーブル９３と電気的に接続するＵＳＢポート９５１を有する。電源変換器９５Ａを電源（コンセント）と電気的に接続して発生する直流電源は、ＵＳＢケーブル９３、直流電源プラグ９０及び直流電源コンセント１３などを経由して二つの導電片１１１に供給される。
【００２０】
図５を参照する。図５は本考案の実施例１の照明角度を調整する状態を示す模式図である。本実施例の発光ダイオード電気スタンドは、ユーザがスライドプレート２０を握って移動することにより、スライド柱３１と導電スライドブロック４１とが溝１１２内を移動して位置を調整でき、このように、発光ダイオード光源５０の位置を調整でき、ひいては発光ダイオード光源５０の照射角度を変化できる。何れかの位置に位置しても、二つの導電片１１１は二つの導電定位玉４２１と電気的に接続するため、従来のもののように電線が短絡するという可能性がない。
【００２１】
（実施例２）
図６を参照する。図６は本考案の実施例２を示す模式図である。本実施例の電源供給子９２Ｂは、電源（コンセント）と電気的に接続する電源変換器９５Ｂでもよい。このように、本実施例の発光ダイオード電気スタンドを固定の場所で利用できる。
【００２２】
（実施例３）
図７を参照する。図７は本考案の実施例３を示す模式図である。本実施例では、発光ダイオード光源５０に放熱片９９が連接される。放熱片９９は、複数の放熱穴９９１を有する。複数の放熱穴９９１は発光ダイオード光源５０に貼り付けられている。このように、発光ダイオード光源５０の放熱効果を増加できる。放熱片９９の材質は、銅、アルミ、又はその他の金属を採用する。放熱片９９は、収容部２１をカバーし、スライドプレート２０に貼り付けられる。本実施例では、放熱片９９がカバー８０と一体に結合される。
【００２３】
（実施例４）
図８を参照する。図８は本考案の実施例４を示す模式図である。本実施例では、立設ロッドを更に延ばし円形状立設ロッド１１Ｂが形成される。このように、発光ダイオード光源５０の照射角度の調整可能な角度を増加できる。
【産業上の利用可能性】
【００２４】
本考案は、電気スタンドに適用することができる。
【符号の説明】
【００２５】
１０  台座
１１Ａ  立設ロッド
１１Ｂ  円形状立設ロッド
１３  直流電源コンセント
２０  スライドプレート
２１  収容部
２２  電線溝
３０  固定片
３１  スライド柱
４０  導電台
４１  導電スライドブロック
４２  導電子
４３  電線切欠き
５０  発光ダイオード光源
６０  螺子
７０  二芯線
８０  カバー
８１，８２  開口
９０  直流電源プラグ
９１  光源調整スイッチ
９２Ａ  電源供給子
９２Ｂ  電源供給子
９３  ＵＳＢケーブル
９５Ａ  電源変換器
９５Ｂ  電源変換器
９９  放熱片
１１１  導電片
１１２  溝
３０１，４０１  締結穴
４２１  導電定位玉
４２２  導電円柱
４２３  バネ
９１１  ＵＳＢコンセント
９５１  ＵＳＢポート
９９１  放熱穴
【図１】
0003180371.tif 000003
【図２Ａ】
0003180371.tif 000004
【図２Ｂ】
0003180371.tif 000005
【図３】
0003180371.tif 000006
【図４】
0003180371.tif 000007
【図５】
0003180371.tif 000008
【図６】
0003180371.tif 000009
【図７】
0003180371.tif 000010
【図８】
0003180371.tif 000011